(57)【要約】【課題】各種のメモリメディアに対応でき、さらに動画データの再生などをも含む今後一般化される各種メディアやテクノロジに対しても適応が可能な発展性を有する音声・画像等データの伝達装置を提供する。【解決手段】再生装置本体（１）内に制御プログラム（Ｐ１）とデジタルデータを音声・画像等の出力に変換再生する再生プログラム（Ｐ２）とをインストールした記憶手段（１５）を有し、各種のＵＳＢ機器と接続可能なＵＳＢ接続手段（２）を設けて、そのＵＳＢ接続手段（２）にデジタル音声・画像等のデータを記録したＵＳＢストレージデバイス（２１）、またはパソコン（２５）を接続してそのデジタル音声・画像等のデータを前記再生プログラム（Ｐ２）で再生し、出力装置（５）に出力するように構成する。【選択図】　図３
2004139512.tif 000002
【特許請求の範囲】
【請求項１】
制御プログラムとデジタルデータを音声・画像等の出力に変換再生する再生プログラムとをインストールした記憶手段を伝達装置本体内に有し、パソコンのＵＳＢ端子と接続可能であり且つＵＳＢストレージデバイスと接続可能であるＵＳＢ接続手段を設けており、当該ＵＳＢストレージデバイスまたはパソコンに記憶されたデジタル音声・画像等のデータを前記再生プログラムで再生し、音声・画像等の出力装置へ出力する様に構成されていることを特徴とする音声・画像等データの伝達装置。
【請求項２】
ＵＳＢ接続手段としての機能を有するように構成された端子と、携帯電話接続手段として機能を有するように構成された端子とを設けており、該端子の一方を介して入力された情報を貯蔵・伝達するための記憶手段とを有していることを特徴とする音声・画像等データの伝達装置。
【請求項３】
伝達装置本体と前記端子を有する接続手段とは、可撓性の連結手段を介して連結されている請求項１、２の何れかの音声・画像等データの伝達装置。
【請求項４】
前記端子及び／または伝達装置本体が回転自在に構成されている請求項１〜３の何れか１項の音声・画像等データの伝達装置。
【請求項５】
前記端子同士が対向して設けられている請求項１〜４の何れか１項の音声・画像等データの伝達装置。
【発明の詳細な説明】
【０００１】
【発明の属する技術分野】
本発明は、ＭＰ３形式などの圧縮フォーマットによるデジタル音声・画像等のデータを再生手段により再生して出力し、或いは、当該データを蓄積して他の機器に伝達する音声・画像等データの伝達装置に関する。
【０００２】
【従来の技術】
音声・画像等のデータを再生する装置として、従来から、ＭＰ３プレイヤーと称する音声データ再生装置が知られている。その様な装置としては、例えば、２００２年８月２９日の時点において「ｈｔｔｐ：／／ｊａｐａｎ．ｃｒｅａｔｉｖｅ．ｃｏｍ／ｐｒｏｄｕｃｔｓ／ｄｉｇｉｔａｌａｕｄｉｏ／ｍｕｖｏ／ｗｅｌｃｏｍｅ．ａｓｐ」なるＵＲＬにおいて開示されている市販の装置（Ｃｒｅａｔｉｖｅ　Ｔｅｃｈｎｏｌｏｇｙ，　Ｌｔｄ社製の商品名「ＮＯＭＡＤ　ＭｕＶｏ」なる商品）がある。係る装置においては、電池パック部分と記憶デバイスたる専用固有のＵＳＢフラッシュメモリ部とが脱着可能に構成されている。
使用に際しては、デジタル音声データをＭＰ３（ＭＰＥＧ規格でＬａｙｅｒ３に分類される音声圧縮ファイル）フォーマットで記録し、デコーダ（再生手段）で復元してスピーカー、ヘッドホンなどの音声出力装置に出力してオーディオ再生をしている。
音声データのＵＳＢフラッシュメモリへの入力は、パソコンに接続してパソコン側でエンコードしたデータを転送するか、あるいはインターネットからパソコンへダウンロードしたデータを当該パソコンを経由して転送することにより行われる。
【０００３】
しかし、係る従来の再生装置は、コンパクト化、軽量化に重点を置いて開発された結果として、専用フラッシュメモリの容量が一定であり、且つ、その記憶容量が比較的小さい。その為、情報量が大きい音声・画像等のデータを必要量だけ記憶することが困難である、という問題を有している。さらに、専用フラッシュメモリ自体に再生手段を内蔵しているので、更なるメモリの増設が非常に困難であり、特に将来の発展性或いは拡張性については不十分である、という問題をも有している。
【０００４】
これに対して、例えば、松下電器産業株式会社製の商品名「ＳＶオーディオプレーヤーＳＶ−ＳＤ８０」という市販の装置では、２００２年８月２９日の時点において、「ｗｗｗ．ｍａｔｓｕｓｈｉｔａ．ｃｏ．ｊｐ／ｃｏｒｐ／ｎｅｗｓ／ｏｆｆｉｃｉａｌ．ｄａｔａ／ｄａｔａ．ｄｉｒ／ｊｎｏ１０９１８−３／ｊｎ０１０９１８−３．ｈｔｍｌ」なるＵＲＬにおいて開示されているように、メモリカードを交換することにより、その記憶容量を変更することが出来る。従って、係る装置においては、交換するメモリカードの記憶容量に比して音声・画像等のデータを記憶することが出来る。
そして、この様に記憶容量を変更可能に構成された従来技術は、上述した装置以外にも種々存在する。
しかし、係る方式の再生装置或いはプレイヤーでは、製品の種類毎にそれぞれ異なるタイプのメモリメディア（例えばメモリカード、スマートメディア等々）が選定使用されている。そのため、メモリ部（メモリメディア）とその他の部分との接続方式（スロット形状）には互換性がない、という大きな問題を有している。
【０００５】
それゆえに、上述した従来の装置のいずれにおいても、再生の対象となる固有、ないしは選定されたメモリ部にデータが転送・保存されていないと再生・出力することができないのであって、そのデータの転送・保存はパソコンを介した作業を必要としている。
そのパソコンを経由して行われるデータ転送の態様が図１６に示されている。ここで、図１６で示されているように、パソコン２５にＣＤ−ＲＯＭ３２からアプリケーションをインストールし（ステップ１）、プレイヤー３１を専用のケーブルによってパソコン２５に接続して（ステップ２）、パソコン２５にてアプリケーションを起動し（ステップ３）、データを所定のフォーマットに圧縮して（ステップ４）、圧縮したデータをプレイヤー３１に転送する（ステップ５）、という５工程を必要としている。
そのため、データ転送作業が非常に煩雑になってしまうという問題があった。
【０００６】
【発明が解決しようとする課題】
本発明は、上記問題点に対処するべく提案されたものであり、音声・画像等のデータの再生等、今後一般化されることが予想される各種記憶媒体メディアやテクノロジに対しての適応が可能で、機器毎に十分な発展性或いは拡張性を有することが出来る様な音声・画像等のデータ伝達装置の提供を目的としている。
【０００７】
【課題を解決するための手段】
本発明者は、ＵＳＢ（Ｕｎｉｖｅｒｓａｌ　Ｓｅｒｉａｌ　Ｂｕｓ）で規格されたインターフェースとそのハブ機能を利用すれば、ＵＳＢストレージデバイスを含めて多種類のメモリメディアに対応して音声・画像等のデータの再生あるいはそのインポートができ、かつ新しいテクノロジによるデバイスとの接続も可能で、上記問題点へ対処することができることを見出し、以下の発明を提案するに至った。
【０００８】
本発明の音声・画像等データの伝達装置は、制御プログラム（Ｐ１）とデジタルデータを音声・画像等の出力に変換再生する再生プログラム（Ｐ２）とをインストールした記憶手段（１５）を再生装置本体（１ａ）内に有し、パソコンのＵＳＢ端子及び／又はＵＳＢストレージデバイスと接続可能であるＵＳＢ接続手段（２）を設けており、当該ＵＳＢストレージデバイス（２１、２２）またはパソコン（２５）に記憶されたデジタル音声・画像等のデータを前記再生プログラム（Ｐ２）で再生し、音声・画像等の出力装置（５、１１）へ出力する様に構成されている（請求項１：図１〜図３）。
【０００９】
また、本発明の音声・画像等データの伝達装置は、ＵＳＢ接続手段としての機能を有するように構成された端子（Ｃ１）と、携帯電話接続手段として機能を有するように構成された端子（Ｃ３）とを設けており、該端子の一方を介して入力された情報を貯蔵・伝達するための記憶手段（１５Ａ）とを有している（請求項２：図１７〜図１９参照）。
【００１０】
本発明の音声・画像等データの伝達装置において、装置本体（１ａ）とＵＳＢ接続手段（２）とは、可撓性の連結手段（３）を介して連結されているのが好ましい（請求項３：図２、図３等）。
ここで、可撓性の連結手段（３）としては、例えば、蛇腹等の構造を採用することが出来る。
【００１１】
或いは、本発明の音声・画像等データの伝達装置において、前記端子及び／または伝達装置本体が回転自在に構成されている（５０）のが好ましい（請求項４：図１７〜図１９）。
【００１２】
或いは、本発明の音声・画像等データの伝達装置において、各端子同士が対向して設けられているのが好ましい（請求項５）。
【００１３】
係る構成を具備する本発明の伝達装置によれば、ＵＳＢ接続手段（２）及び可撓性の連結手段（３）を介して接続されたＵＳＢストレージ（２１、２２）に記録されたデジタルデータを直接読み込んで再生することが出来る（図５、図６参照）。
そして、これら全体の制御および再生機能（或いはデコード機能）は、記憶手段（ＲＡＭ１５）にインストールされたソフトウエア（Ｐ１、Ｐ２）が機能して実行され、音声・画像等の出力装置に出力されている（図１参照）。
【００１４】
本発明の音声・画像等データの伝達装置は、それが有するＵＳＢ接続手段により、各種のＵＳＢ機器と接続が可能である。
従来技術に係る装置の何れもが、固有のメモリ或いは各装置毎に選定されたメモリしか使用できず、メモリ同士の互換性を喪失していたのに対して、上述したような構成を具備する本発明の伝達装置によれば、ＵＳＢ接続端子を具備するメモリであればデータの読み込み、蓄積、再生を行うことが出来るので、各種のメモリメディアを自在に使用することが出来る（図６参照）。
また、本装置の接続手段は、各種のストレージデバイスに対応できるのみならず、今後一般化される各種メディアやテクノロジに対しても適応が可能な発展性を有している。
【００１５】
さらに、本発明の音声・画像等データの伝達装置は、形態あるいは機能を異にする複数の接続手段を有しているために、例えば、パソコンとＵＳＢストレージデバイスの両者を同時に本装置に接続できるといった、所謂、ハブ機能を有している。そのために両者の間にあって、両者の機能を接続仲介できる一方、同時にその両者を本装置の再生対象としてのストレージデバイスとして使用することも出来る（図７参照）。
【００１６】
本発明の音声・画像等データの伝達装置（特に、請求項１に対応する伝達装置）の場合は、ハブ機能に接続された外部デバイスを制御できる制御プログラム（Ｐ１）と再生プログラム（Ｐ２）を装置本体に有しているために、例えば、パソコンに接続した場合に、パソコン側に再生ソフトがインストールされていなくてもデータを再生することが出来る。
【００１７】
また、インターネットからパソコンヘダウンロードしたデータを、当該パソコンを介して本装置へ転送すれば、当該ダウンロードしたデータを本発明に係る伝達装置（であって、請求項１に対応する伝達装置）により、再生することが出来る（図７参照）。
しかも、再生されるデータとしては、ＭＰ３、ＷＭＡ等の各種フォーマットに限定されることもない。これに加えて、対応した再生プログラムをＲＡＭにインストールすることで、音声データに限らず、画像、動画、ビデオ等の各種フォーマットのデータにも対応できる。
【００１８】
また、本装置で再生されるデータフォーマットに外部の音声・画像等のデータを変換するために、本装置にその変換プログラムを予め格納しておくことが可能である。
例えば、本装置がパソコンに接続され、音声・画像等のデータをパソコン側から本装置に転送する場合においては、自動的に該プログラムが展開され、データ変換が行われ、本装置に接続されたストレージデバイス等の記憶媒体に変換後のデータを転送・保存することが出来る。
【００１９】
本発明の伝達装置（であって、請求項２に対応する伝達装置）によれば、ＵＳＢ端子の接続及び携帯電話接続端子の連結手段（５０）の半回転という操作のみで、音声・画像等のデータを携帯電話へ転送することが出来る。そのため、専用ケーブルを使用する必要が無い。
換言すれば、従来は専用ケーブルを用いて、ＰＣと携帯電話とが同一箇所に存在する条件下でなければ行うことが出来なかった音声・画像等のデータを伝達する作業が、本発明の伝達装置（であって、請求項２に対応する伝達装置）によれば、本発明の伝達装置内に伝達するべき音声・画像等のデータを一旦蓄積（或いは記憶）することにより、専用ケーブルを使用すること無く、しかもＰＣと携帯電話とが離隔した場所にそれぞれ存在する場合において、当該データを伝達することが可能となる。
【００２０】
さらに本発明において、各端子同士が対向して設ければ（請求項５）、ストレージメモリ或いは携帯電話と接続するのに際して、全体を非常にコンパクトにすることが出来るというメリットがある。
【００２１】
【発明の実施の形態】
以下、添付図面を参照して本発明の実施形態について説明する。
図１は、本発明の音声・画像等データの伝達装置であるプレイヤー１の全体構成を示すブロック図である。プレイヤー本体１ａ内には、記憶手段としてＲＡＭ１５を内蔵しており、インターフェース１６を有している。ここで、ＲＡＭ１５には制御プログラムＰ１及び再生プログラムＰ２がインストールされている。
【００２２】
本体１ａの一端には、ＵＳＢ雄端子Ｃ１及びＵＳＢ雌端子Ｃ２が分岐して連結されているＵＳＢハブ（２）が設けられ、前記ＲＡＭ１５に接続されている。
図示の実施形態では、雄端子Ｃ１にはパソコン２５が、雌端子Ｃ２にはＵＳＢストレージデバイスやリードライタ２１、２２が接続されており、ＭＰ３フォーマットの音声データ等が制御プログラムＰ１・再生プログラムＰ２の作用により再生可能となる様に構成されている。
具体的には、音声データの再生に際しては、ＲＡＭ１５内のソフトウエアＰ１及びＰ２でデコードされて音声・画像出力ボード１７に再生され、出力端子１３を介して音声出力部（スピーカー／イヤホン）５に出力される。
【００２３】
図２及び図３は、本発明によるプレイヤー１全体の外観を示している。
前記図１で説明したＲＡＭ１５などの内部機器を内蔵した本体１ａには、その上面に各種の情報が表示される液晶ディスプレイ１１および操作ボタン１２が設けられている。
【００２４】
本体１ａの一端から蛇腹状に形成された可撓性の連結手段３が延設されており、その先端には、雄端子Ｃ１及び雌端子Ｃ２が対向して配設されているＵＳＢ接続手段であるアダプタ２が設けられている。また本体１ａの側面には、音声出力部５（図示例ではイヤホン）を接続する出力端子１３が設けられている。
【００２５】
また、図４には、ＵＳＢ接続用の雄端子Ｃ１に防塵用のカバー９を被せている実施例が示されている。
【００２６】
図５には、雌端子Ｃ２にＵＳＢストレージデバイス２１を装着した状態を示している。連結手段３が可撓式であるので装着の自由度が大きく、プレイヤー本体１ａと干渉せず且つコンパクトに装着でき、また、操作あるいはディスプレイの視認性に影響を及ぼすことなく接続し、再生することが出来る。
【００２７】
本発明の上記プレイヤー１の機能の態様は、図６及び図７のブロック図で示すことが出来る。図６に示すようにＵＳＢ雌端子Ｃ２に、ＵＳＢストレージデバイス２１の雄端子Ｃ１を挿入するか、あるいはリードライタ２２を介することで従来のメモリカード２１Ａを接続して音声データを再生し、音声出力部５に出力する。
【００２８】
以下、各種のＵＳＢ接続機器を接続した実施形態について説明する。
図７に示す実施形態は、上記例の構成に加え、プレイヤー１の雄端子Ｃ１を直接パソコン２５に接続してハブ機能を利用したものである。
この実施形態によれば、パソコン２５に音声・画像等の再生ソフトがインストールされていなくても、パソコン２５に保存されている音声・画像等のデータを再生することが出来る。また、音声・画像等を再生しながら、ＵＳＢストレージデバイス２１等のＵＳＢ接続が可能な装置類をパソコン２５のストレージとして同時使用もできる。
【００２９】
図８には、他方式のフォーマットに対応して再生するケースを模式的に示している。図示のようにメーカーのサイトＭから通信ネットを介してエンコーダソフトをダウンロードし、ファームウエアとすることで新しいフォーマット等の各種音声データや、さらには動画等の画像データを再生することができる。
【００３０】
また、図９に示すようにパソコン２５側に、例えば動画データ再生ソフトウェアを有していない場合でも、プレイヤー１側のソフトウエアで再生し、パソコン２５のディスプレイに映像を再生することも出来る。
【００３１】
図１０〜図１２には、動画映像を再生する実施形態が示されている。
図１０では、プレイヤー１Ａに液晶ディスプレイ１１Ａが搭載され、動画データを記録したＵＳＢストレージデバイス２１を接続することで動画を再生する。また、図１１で示すように、ＤＶＤドライブ２６は、ケーブルＣ−２６を介して雄端子２６−Ｃ１を有しており、該雄端子２６−Ｃ１をプレイヤー１ＡのＵＳＢ接続雌端子Ｃ２に接続して、ＤＶＤの画像を再生することが出来る。あるいは、図１０９に示すように、プレイヤー１ＡのＵＳＢ接続雄端子Ｃ１をＤＶＤドライブ２６の雌端子に直接接続してＤＶＤの画像を再生することも出来る。
なお、上述のように、プレイヤー１ＡにＤＶＤドライブ２６を接続してＤＶＤの画像を再生する場合、図１２に示すように、予めＤＶＤドライバーをパソコン２５経由でプレイヤー１Ａにインストールすることも出来る。
【００３２】
図１３および図１４には、プレイヤー１Ａにビデオ出力端子１８を設け、別途、大型ディスプレイ２７を用意して映像を再生しており、あるいはプロジェクタ２８を用いてスクリーンＳに映写する実施形態を示している。
【００３３】
図１３は、プレイヤー１ＡにＵＳＢストレージデバイス２１を接続し、ストレージデバイス２１に記録されたデータを再生している形態を示し、図１４は、ＤＶＤドライブ２６を接続してＤＶＤのデータを映写している形態を示している。
【００３４】
本装置に接続されたパソコン等からの音声・画像等のデータの転送は、図１５に示す工程によって実行される。すなわち、まずパソコン２５にプレイヤー１を接続し（ステップ１）、パソコン２５の画面上でポインティングデバイス（マウス）等により転送を望むデータファイルをドラグアンドドロップ（ステップ２）すると、自動的にデータの変換・転送が行われる。先に述べた様に従来の５工程での転送（図１６）にくらべ、本発明では２工程でデータ転送を行うことができる。
【００３５】
次に、図１７〜図１９を参照し、携帯電話と接続する実施形態を説明する。
この実施形態では、全体を符号２Ａで示す接続装置が用いられる。この２Ａには連結手段５０が設けられている。この連結手段５０は、図１８に示す様に、パソコンに接続するための雄端子Ｃ１（左図）と、端子Ｃ１とは反対側に設けられた携帯電話接続用の端子Ｃ３（右図）とを配置している。そして図１９で示す様に、該端子Ｃ１、Ｃ３を設けた連結手段５０は、２Ａ本体に対して、回転自在に構成されている。
すなわち、端子Ｃ１、Ｃ３を設けた連結手段５０は、図１９に示すようにその端子部を回転することで、端子Ｃ１、Ｃ３の何れかを接続可能とするように構成されている。
なお、２Ａは、端子Ｃ１、Ｃ３を設けた連結手段５０に加えて、端子Ｃ１、Ｃ３の一方を介して入力された情報を貯蔵し、端子Ｃ１、Ｃ３の他方を介して出力するための記憶手段１５Ａを有している。
ここで、記憶手段１５Ａは内蔵されたメモリであっても良いし、或いは、スロット及びそこに挿入されたメモリメディアであっても良い。
【００３６】
次に、図１７を参照してその実施例について説明する。
まず、伝達装置２ＡをＵＳＢ雄端子Ｃ１を用いてパソコン２５と接続し（ステップ１）、画面上で転送を望むデータファイルをドラグアンドドロップすることにより、あるいは、ソフトウエアを立ち上げて同様にドラグアンドドロップすることにより、データを携帯電話対応データに変換し、そのデータを記憶手段１５Ａ内に貯蔵する（ステップ２）。
【００３７】
そして、２Ａをパソコン２５から取り外し（ステップ３）、連結手段５０を回転することにより２Ａを携帯電話用端子Ｃ３に切り替え（ステップ４）、携帯電話３０に接続し（ステップ５）、記憶手段１５Ａ内に貯蔵されていたデータを携帯電話３０に転送する（ステップ６）。
この様にして携帯電話３０で当該転送データを自在に使用することが出来る。
【００３８】
パソコン２５の音声・画像等のデータを携帯電話３０において使用するには、従来、専用のケーブルを介して転送する必要があったので、当該パソコン２５と携帯電話３０とを、当該専用ケーブルの長さの範囲まで接近させなければならなかった。
これに対して、図１７〜図１９の実施形態を用いれば、伝達装置２Ａを持ち運ぶことにより、離隔した場所にあるパソコン２５から、音声・画像等のデータを容易に携行し、携帯電話３０で使用することが可能となった。
【００３９】
図２０の伝達装置全体を符号１Ｂで示す実施形態は、蛇腹３を介してのアダプタ２Ａ側をＵＳＢ雄端子Ｃ１のみとし、伝達装置本体１ｂ側で蛇腹３と反対側の端部にＵＳＢ雌端子Ｃ２を設けたものである。
そのように構成された伝達装置１Ｂによれば、例えば、同じ伝達装置１ＢをＵＳＢ雌端子Ｃ２に装着し、同じ伝達装置１Ｂから情報を取込むことが出来る。或いは、ＵＳＢストレージ及びリードライタを伝達装置本体１ｂの後端から装着するので、伝達装置本体１ｂの下方向にスペースが無い場合は好適である。
【００４０】
図２１の伝達装置全体を符号１Ｃで示す実施形態は、蛇腹３を介してのアダプタ２Ａ側をＵＳＢ雄端子Ｃ１のみとし、伝達装置本体１ｃ側で蛇腹３と反対側の端部に、ＵＳＢ雌端子Ｃ２を有する回転式連結手段５０Ａを設けたものである。そのように構成された伝達装置１Ｃによれば、回転式連結手段５０Ａ側のＵＳＢ雌端子Ｃ２を使用しない場合は、ＵＳＢ雌端子Ｃ２を伝達装置本体１ｃ内に収納してしまえばコンパクトになる。
【００４１】
図２２の伝達装置全体を符号１Ｄで示す実施形態は、蛇腹３を介してのアダプタ２Ｂ側をＵＳＢ雌端子Ｃ２のみとし、伝達装置本体１ｄ側で蛇腹３と反対側の端部にＵＳＢ雄端子Ｃ１を有する回転式連結手段５０Ｂを設けたものである。
そのように構成された伝達装置１Ｃによれば、回転式連結手段５０Ｂ側のＵＳＢ雄端子Ｃ１を使用しない場合は、ＵＳＢ雄端子Ｃ１を伝達装置本体１ｄ内に収納してしまえばコンパクトになる。
【００４２】
図２３の伝達装置全体を符号１Ｅで示す実施形態は、蛇腹３を介してのアダプタは使用せず、伝達装置本体１ｅの一端にＵＳＢの雄端子Ｃ１を、他端にＵＳＢ雌端子Ｃ２を設けたもので、全体がコンパクトに構成することが出来る。
【００４３】
図２４〜図２６の伝達装置全体を符号１Ｆで示す実施形態は、図２３で示した実施形態に対して、ＵＳＢ雌端子Ｃ２が回転式連結手段５０Ａに含まれ、その回転式連結手段５０Ａが本体１ｆの他端に設けられたものである。
ＵＳＢ雌端子Ｃ２が図２５の矢印に示すように回転するので、雌端子Ｃ２使用時は本体１ｆの図示しないモニタ面を見やすい位置に回転出来る。また、雌端子Ｃ２を使用しない場合は、図２６のように本体１ｆ内に収納してしまえばコンパクトになる。
【００４４】
図２７〜図２９の伝達装置全体を符号１Ｇで示す実施形態は、図２３で示した実施形態に対して、ＵＳＢ雄端子Ｃ１が回転式連結手段５０Ｂ側に含まれ、その回転式連結手段５０Ｂが本体１ｇの一端に設けられたものである。
ＵＳＢ雄端子Ｃ１が図２８に示すように回転するので、雄端子Ｃ１使用時はモニタ面を見やすい位置に回転出来る。また、雄端子Ｃ１を使用しない場合は、図２９のように本体１ｇ内に収納してしまえばコンパクトになる。
【００４５】
図３０〜図３２の伝達装置全体を符号１Ｈで示す実施形態は、回転式連結手段５０Ｃの回転中心Ｏを挟んで対向する位置にＵＳＢ雄端子Ｃ１とＵＳＢ雌端子Ｃ２を有しており、その回転式連結手段５０Ｃを伝達装置本体１ｈの一端に設けた実施形態である。図３１に示すようにＵＳＢ雄・雌端子Ｃ１、Ｃ２は回転可能であり、図３０、図３２の何れかで示すようにＣ１、Ｃ２の何れかが伝達装置本体１ｈ内に格納される。
【００４６】
図３３〜図３５の伝達装置全体を符号１Ｊで示す実施形態は、伝達装置本体１ｊの一端に、ＵＳＢ雄端子Ｃ１を有する回転式連結手段５０Ｂが、伝達装置本体１ｊの他端に、ＵＳＢ雌端子Ｃ２を有する回転式連結手段５０Ａを取付けた実施形態であり、ＵＳＢ端子Ｃ１、Ｃ２を共に使用しない場合は、双方の端子Ｃ１、Ｃ２を本体１ｊ内に格納出来るため、更にコンパクトになる。
【００４７】
図３６の伝達装置全体を符号１Ｋで示す実施形態は、伝達装置本体１ｋの一端にＵＳＢ雄端子Ｃ１を、他端に携帯電話接続端子Ｃ３を、共に直に設けたものであり、全体がスリムな構成となる。
【００４８】
図３７の伝達装置全体を符号１Ｌで示す実施形態は、図１〜図３で示した実施形態に対して、アダプタ２Ｃの一方の端子をＵＳＢ雌端子Ｃ２から携帯電話接続端子Ｃ３に組み替えた実施形態である。
【００４９】
図３８の伝達装置全体を符号１Ｍで示す実施形態は、前述の図３７で示した実施形態に対して、アダプタ２Ｃ（図３７）の一方の携帯電話接続端子Ｃ３を（図３８の）伝達装置本体１ｍ側に移動した実施形態である。携帯電話が厚い場合で伝達装置本体１ｍの下に重ねられない場合に好適である。
【００５０】
図３９の伝達装置全体を符号１Ｎで示す実施形態は、前述の図３８で示した実施形態に対して、伝達装置本体１ｎ側の携帯電話接続端子Ｃ３を回転式連結手段５０Ｄを介して取付けた実施形態である。図示しないモニタ面、或いは携帯電話側の角度が自由に設定出来る。
【００５１】
図４０の伝達装置全体を符号１Ｙで示す実施形態は、前述の図３９で示した実施形態に対して、ＵＳＢ雄端子Ｃ１と携帯電話接続端子Ｃ３とを図示において左右逆に配置した実施形態である。すなわち、ＵＳＢ雄端子Ｃ１は回転式連結手段５０Ｂを介して、伝達装置本体１ｙ側に、携帯電話接続端子Ｃ３はアダプタ２Ｄ側に配置している。
【００５２】
図４１〜図４３の伝達装置全体を符号１Ｏで示す実施形態は、前述の図３３〜図３５の伝達装置全体を符号１Ｊで示した実施形態に対して、回転式連結手段５０Ａ側（図３３〜図３５）の端子を、ＵＳＢ雌端子Ｃ２から携帯電話接続端子Ｃ３に（回転式連結手段は５０Ｄに）組み替えた実施形態である。
【００５３】
図４４〜図４６の伝達装置全体を符号１Ｐで示す実施形態は、前述の図４１〜図４３の伝達装置全体を符号１Ｏで示した実施形態に対して、ＵＳＢ雄端子Ｃ１を回転式連結手段５０Ｂを介さずに、直に伝達装置本体１ｐに組み込んだ実施形態である。
【００５４】
図４７〜図４９の伝達装置全体を符号１Ｑで示す実施形態は、前述の図４１〜図４３の伝達装置全体を符号１Ｏで示した実施形態に対して、携帯電話接続端子Ｃ３を回転式連結手段５０Ｄを介さずに、直に伝達装置本体１ｑに組み込んだ実施形態である。
【００５５】
図５０の伝達装置全体を符号１Ｒで示す実施形態は、前述の図２３で示した実施形態のＵＳＢ雄端子Ｃ１を携帯電話接続端子Ｃ３に組み替えた実施形態である。
【００５６】
図５１の伝達装置全体を符号１Ｓで示す実施形態は、前述の図１〜図３で示した実施形態のＵＳＢ雄端子Ｃ１を携帯電話接続端子Ｃ３（アダプタは２から２Ｅ）に組み替えた実施形態である。
【００５７】
図５２の伝達装置全体を符号１Ｔで示す実施形態は、前述の図２０で示した実施形態に対して、ＵＳＢ雄端子Ｃ１を携帯電話接続端子Ｃ３（アダプタは２Ａから２Ｄ）に組み替えた実施形態である。
【００５８】
図５３の伝達装置全体を符号１Ｕで示す実施形態は、前述の図２１で示した実施形態に対して、ＵＳＢ雄端子Ｃ１を携帯電話接続端子Ｃ３（アダプタは２Ａから２Ｄ）に組み替えた実施形態である。
【００５９】
図５４の伝達装置全体を符号１Ｖで示す実施形態は、前述の図２２で示した実施形態に対して、ＵＳＢ雄端子Ｃ１を携帯電話接続端子Ｃ３（回転式連結手段は５０Ｂから５０Ｄ）に組み替えた実施形態である。
【００６０】
図５５〜図５７の伝達装置全体を符号１Ｗで示す実施形態は、前述の図４１〜図４３で示した実施形態に対して、ＵＳＢ雄端子Ｃ１（図４１〜図４３：回転式連結手段５０Ｂ）をＵＳＢ雌端子Ｃ２（回転式連結手段５０Ａ）に組み替えた実施形態である。
【００６１】
図５８〜図６０の伝達装置全体を符号１Ｘで示す実施形態は、前述の図４７〜図４９で示した実施形態に対して、ＵＳＢ雄端子Ｃ１（図４７〜図４９：回転式連結手段５０Ｂ）をＵＳＢ雌端子Ｃ２（回転式連結手段５０Ａ）に組み替えた実施形態である。
【００６２】
図６１〜図６３の伝達装置全体を符号１Ｚで示す実施形態は、前述の図４４〜図４６で示した実施形態に対して、ＵＳＢ雄端子Ｃ１をＵＳＢ雌端子Ｃ２に組み替えた実施形態である。
【００６３】
図６４〜図６６の伝達装置全体を符号１ＡＡで示す実施形態は、前述の図３０〜図３２で示した実施形態に対して、ＵＳＢ雄端子Ｃ１（図３０〜図３２：回転式連結手段５０Ｃ）を携帯電話接続端子Ｃ３（回転式連結手段５０Ｅ）に組み替えた実施形態である。
【００６４】
図６７の伝達装置全体を符号１ＡＢで示す実施形態は、前述の図１〜図３で示した実施形態に対して、伝達装置本体１ａｂの他端に携帯電話接続端子Ｃ３を加えた実施形態である。
【００６５】
図６８の伝達装置全体を符号１ＡＣで示す実施形態は、前述の図５１で示した実施形態に対して、伝達装置本体１ａｃの他端にＵＳＢ雄端子Ｃ１を加えた実施形態である。
【００６６】
図６９の伝達装置全体を符号１ＡＤで示す実施形態は、前述の図３７で示した実施形態に対して、伝達装置本体１ａｄの他端にＵＳＢ雌端子Ｃ２を加えた実施形態である。
【００６７】
図７０〜図７２の伝達装置全体を符号１ＡＥで示す実施形態は、前述の図１７〜図１９で示した実施形態に対して、伝達装置本体１ａｅの他端に回転式連結手段（５０Ａ）を介してＵＳＢ雌端子Ｃ２を付加した実施形態である。
【００６８】
図７３〜図７５の伝達装置全体を符号１ＡＦで示す実施形態は、前述の図５５〜図５７で示した実施形態に対して、伝達装置本体１ａｆの他端の回転式連結手段（図５５〜図５７の５０Ａ）側にＵＳＢ雄端子Ｃ１を付加（回転式連結手段は５０Ｃに）した実施形態である。
【００６９】
図７６〜図７８の伝達装置全体を符号１ＡＧで示す実施形態は、前述の図６４〜図６６で示した実施形態に対して、伝達装置本体１ａｇの他端に回転式連結手段５０Ｂを介してＵＳＢ雄端子Ｃ１を付加した実施形態である。
【００７０】
図７９〜図８１の伝達装置全体を符号１ＡＨで示す実施形態は、前述の図７０〜図７２で示した実施形態に対して、伝達装置本体１ａｈの他端の回転式連結手段（図７０〜図７２の５０Ａ）を介してのＵＳＢ雌端子Ｃ２を、伝達装置本体１ａｈの他端に直に設けた実施形態である。
【００７１】
図８２〜図８４の伝達装置全体を符号１ＡＪで示す実施形態は、前述の図７３〜図７５で示した実施形態に対して、伝達装置本体１ａｊの他端の回転式連結手段（図７３〜図７５の５０Ｄ）を介しての携帯電話接続端子Ｃ３を、伝達装置本体１ａｊの他端に直に設けた実施形態である。
【００７２】
図８５〜図８７の伝達装置全体を符号１ＡＫで示す実施形態は、前述の図７６〜図７８で示した実施形態に対して、伝達装置本体１ａｋの一端の回転式連結手段（図７６〜図７８の５０Ｂ）を介してのＵＳＢ雄端子Ｃ１を、伝達装置本体１ａｋの一端に直に設けた実施形態である。
【００７３】
図８８の伝達装置全体を符号１ＡＬで示す実施形態は、前述の図１７〜図１９で示した実施形態に対して、伝達装置本体１ａｌの他端に回転式連結手段（５０Ｄ）を介して携帯電話接続端子Ｃ３を付加した実施形態である。
【００７４】
図８９の伝達装置全体を符号１ＡＭで示す実施形態は、前述の図５１で示した実施形態に対して、伝達装置本体１ａｍの他端に回転式連結手段（５０Ｂ）を介してＵＳＢ雄端子Ｃ１を付加した実施形態である。
【００７５】
図９０の伝達装置全体を符号１ＡＮで示す実施形態は、前述の図６９で示した実施形態に対して、伝達装置本体（図６９の１ａｄ）の他端に直に設けたＵＳＢ雌端子Ｃ２を、回転式連結手段（図９０において５０Ａ）を介してＵＳＢ雌端子Ｃ２を伝達装置本体１ａｎの他端に組み込んだ実施形態である。
【００７６】
図９１の伝達装置全体を符号１ＡＯで示す実施形態は、前述の図３９で示した実施形態に対して、伝達装置本体１ａｏの他端の回転式連結手段（図３９の５０Ｄ）側にＵＳＢ雌端子Ｃ２（図９１の回転式連結手段は５０Ｅ）を付加した実施形態である。
【００７７】
図９２の伝達装置全体を符号１ＡＰで示す実施形態は、前述の図４０で示した実施形態に対して、伝達装置本体１ａｐの他端の回転式連結手段（図４０の５０Ｂ）側にＵＳＢ雌端子Ｃ２（図９２の回転式連結手段は５０Ｃ）を付加した実施形態である。
【００７８】
図９３の伝達装置全体を符号１ＡＱで示す実施形態は、前述の図２２で示した実施形態に対して、伝達装置本体１ｄの他端の回転式連結手段（図２２の５０Ｂ）側に携帯電話接続端子Ｃ３を付加し（回転式連結手段は５０）、アダプタ（図９３の２Ｆ）側のＵＳＢ雌端子Ｃ２の配置を左右逆とした実施形態である。
【００７９】
図９４〜図１０８は、プレイヤー本体を長手方向の途中で夫々２分し、長手方向の中心軸周りに回転可能とした実施形態である。
【００８０】
図９４〜図９８を参照して、プレイヤー本体１Ｂａを長手方向の途中で１ａ−１と１ａ−２とに２分し、長手方向の図示しない中心軸周りに回転可能とした実施形態について説明する。
【００８１】
図９４は、当該実施形態において、全体を符号１Ｂで示すハブプレイヤーのプレイヤー本体１Ｂａが表側を向けＵＳＢストレージ２１がアダプタ２に挿入・接続された状態が示されている斜視図である。図９５は、同じく、全体を符号１Ｂで示すハブプレイヤーの本体１Ｂａが裏側を向けた状態が示されている斜視図である。
【００８２】
図９６は、図９４に対する側面図である。プレイヤー本体１Ｂａは回転接続部材Ｊによって図示左側の固定部１ａ−１と右側の容積の大部分を占める回転部１ａ−２に２分されている。
固定部１ａ−１の間接部Ｊと反対側には可撓性を有する蛇腹３を介して、１端がＵＳＢ雄端子Ｃ１で他端がＵＳＢ雌端子Ｃ２のアダプタ２が形成されており、そのＵＳＢ雌端子Ｃ２にＵＳＢストレージ２１が差し込まれている。また、プレイヤー本体１Ｂａの回転部１ａ−２の側面には、出力端子１３が設けられている。
【００８３】
図９７は、図９６に対応した上面図であり、前述の出力端子１３にはイヤホンＨの図示しない端子が差し込まれている。
なお、図９７中、符号１１はモニタ画面、符号１２はスイッチを示す。
【００８４】
図９８はプレイヤーの本体１Ｂａの回転部１ａ−２を回転させて使う場合の手順を示した図である。
ステップ１ではＵＳＢストレージ２１がプレイヤー本体１Ｂａと平行で重なるようにハブプレイヤー１Ｂのアダプタ２に接続されている。
ステップ２では回転部１ａ−２を回転させるに先立ち、蛇腹３を伸ばしてプレイヤー本体１Ｂａを引起す。
ステップ３では回転部１ａ−２を回転させる（ステップ３で図示された状態は、ステップ２に対して９０°回転した途中の状態で、モニタ画面１１及びスイッチ１２が図示の正面に見える状態を示している）。
ステップ４では回転部１ａ−２をステップ２に対して１８０°回転させ終わった状態が示されている。
ステップ５では、蛇腹３を押し倒し、ステップ１と同様に、プレイヤー本体１ＢａがＵＳＢストレージ２１と平行になるように重ね合わされる。
【００８５】
その場合は、プレイヤー本体１Ｂａの表面ｆが下側に、裏面ｂが上側になっている。したがって、その状態で携帯すれば、表面ｆが隠されるので、表面の傷つき易い表示部は、他との接触や擦れから回避出来る。
【００８６】
図９９〜図１０８を参照して、携帯電話用アダプタを長手方向の途中で２分し、長手方向の図示しない中心軸周りに回転可能とした実施形態について説明する。
【００８７】
図９９及び図１００において、全体を符号ＡＤで示す携帯電話用アダプタは回転接続部材Ｊａによって図示左側の第１の部材Ａｄ−１と右側の第２の部材Ａｄ−２とに２分されており、その第１の部材Ａｄ−１と第２の部材Ａｄ−２は、図９９において長手方向を回転中心軸として、その回転中心軸周りに相対的に回転可能に構成されている。
【００８８】
第１の部材Ａｄ−１の左端には回転式連結手段５０Ｂを介してＵＳＢ雄端子Ｃ１が取付けられ、第２の部材Ａｄ−２の右端には回転式連結手段５０Ｄを介して携帯電話接続端子Ｃ３が取付けられている。
図１０１は、当該携帯電話用アダプタＡＤの斜視図である。
【００８９】
図１０２は第１の部材Ａｄ−１と第２の部材Ａｄ−２を相対的に回転させる前のステップ１と、回転させた後のステップ２の状態を比較して示した図である。
【００９０】
図１０３は、前述の携帯電話用アダプタＡＤの第１の部材Ａｄ−１と第２の部材Ａｄ−２を相対的に９０°回転させた後、第２の部材Ａｄ−２の回転式連結手段５０Ｄ（図示では見えない）を回転させないで、携帯電話接続端子Ｃ３（図示では見えない）を携帯電話Ｔ側の図示しない雌端子に差し込んでおり、例えば、図示しないパソコン本体の横向きに配置されたＵＳＢ雌端子に、第１の部材Ａｄ−１側のＵＳＢ雄端子Ｃ１を差し込んで使用する状態を示している。
【００９１】
図１０４は、携帯電話用アダプタＡＤの第１の部材Ａｄ−１と第２の部材Ａｄ−２を相対的に９０°回転させた後、第２の部材Ａｄ−２の回転式連結手段５０Ｄ（図示では見えない）を第２の部材Ａｄ−２の中心軸に対して９０°回転した状態で、携帯電話接続端子Ｃ３（図示では見えない）を携帯電話Ｔ側の図示しない雌端子に差し込んでおり、例えば、図示しないパソコン本体の縦向きに配置されたＵＳＢ雌端子に、第１の部材Ａｄ−１側のＵＳＢ雄端子Ｃ１を差し込んで使用する状態を示している。
【００９２】
次に、図１０５〜図１０７を参照して、薄型の記憶媒体を本体内に内蔵し、本体の一端に回転式接続手段を介して携帯電話接続端子を設けた携帯電話用アダプタの実施形態を説明する。
【００９３】
図１０５において、全体を符号ＡＤ１で示す携帯電話用アダプタは、携帯電話のカバーを兼ね、薄肉の記憶手段１５Ａを収納するアダプタ本体Ａｄと、２本の平行する回転軸Ｊ１、Ｊ２を有する回転軸支持部材Ｂと、携帯電話接続端子Ｃ３を有する回転式接続手段５０Ｆとにより構成されている。
【００９４】
前記アダプタＡｄ本体の一端には回転式接続手段Ｊ３を介して、枢着手段Ａｙが設けられている。そしてその枢着手段Ａｙに対してアダプタＡｄ本体は図１０７に図示するように、部材Ｊ３を介して中心軸周りに矢印Ｙのように回転可能に構成されている。
前記枢着手段Ａｙは前記回転軸Ｊ１周りに回動可能に接続されている。また、前記回転式接続手段５０Ｆは回転軸Ｊ２周りに回動可能に接続されている。
【００９５】
前記アダプタ本体Ａｄの他端には、図１０５で示すように、携帯電話の隅部をも覆うように湾曲部Ａｒが形成されている。
【００９６】
図１０６は、当該携帯電話用アダプタＡＤ１に接続可能な携帯電話Ｔの側面図であり図示の左側が表示部及び操作スイッチを有する表部Ｔｆであり、その表部の反対側が裏面Ｔｂである。
【００９７】
図１０７は、携帯電話未使用時で当該携帯電話用アダプタＡＤ１の携帯電話接続端子Ｃ３に携帯電話Ｔの図示しない雌端子を差込み、表部Ｔｆをアダプタ本体Ａｄでカバーした状態から、携帯電話を使用するために、アダプタＡＤ１の本体Ａｄを携帯電話Ｔの裏面Ｔｂ側に重ねるまでを手順を追って説明する図である。
【００９８】
以下、図１０７を参照しながら上記手順を説明する。
ステップ１の携帯電話Ｔ不使用の状態から、ステップ２においてアダプタ本体Ａｄを回転軸Ｊ１周りおよび／又は回転軸Ｊ２回りに回転させながら適当な角度に開く。次に、ステップ３では回転式接続手段Ｊ３周りに矢印Ｙ方向に捻るように本体を１８０°回転させる。ステップ４では、そのままの状態でアダプタ本体Ａｄを携帯電話の裏面Ｔｂ側に重なるまで回転させる。そのように操作することにより、ステップ５で示すように、アダプタ本体Ａｄの他端の湾曲部Ａｒによって携帯電話Ｔの裏面の隅部Ｔｒをも隙間無く覆うことが出来る。
【００９９】
図１０８は、図１０５で示した実施形態における本体の一端の湾曲部Ａｒを廃止し、その部分に、本体Ａｄ１に対して、回動可能な枢着手段５０Ｇを有するＵＢＳ雄端子Ｃ１を付加した実施形態であり、その他の構成は図１０５の実施形態と同様である。
【０１００】
図示の実施形態はあくまでも例示であり、本発明の技術的範囲を限定する趣旨ではない旨を付記する。
例えば、図示の実施形態では、再生等の対象となる音声・画像データがデジタルデータの場合について説明されているが、Ｄ／Ａコンバータを用いる等の手法により、アナログデータとして音声・画像を再生するように構成することも可能である。
また例えば、図示の実施形態では、接続端子が可動性の連結手段、ないしは回転自在の連結手段を介して本体と連結されている場合について説明されているが、これに限定されるものではなく、装置本体に端子部を固定して構成することも可能である。
【０１０１】
【発明の効果】
本発明は、以上説明したように構成され、以下にその作用効果を示す。
（１）　データの伝達、貯蔵において、ハブの機能を奏する音声・画像データ伝達装置であり、ＵＳＢ接続に対応している機器もしくは携帯電話器等の通信機器を対象に、機器への（複数、同時に）直接の接続ができ、また、各種のメモリメディアに対応できるといった、すぐれた接続性、互換性を奏する。
また、パソコン、ＤＶＤプレイヤー、携帯電話器等の各機器、あるいは通信ネットに接続して種々のデータを貯蔵、再生できる等、すぐれた発展性を奏する。（２）音声・画像等のデータを、極めて簡単に携帯電話器等に転送、伝達出来る。
（３）本伝達装置において、接続手段は可撓的に本体に連結されており、その端子部は回転自在に構成されており、及び／または、装置本体の一部が回転自在に構成されており、接続する機器の大きさや形状、接続先の端子部の配置や方向に対して、接続時においてはすぐれた自由度を発揮する一方、視認性、操作性の向上を奏し、しかも、コンパクトで携帯に適し、すぐれた携行性を奏する。
また、以上の構成により、本体端子部の防塵、保護と誤作動の防止、本体ならびに接続先の機器の操作部、表示画面部等の保護と誤操作の防止効果を奏する。更に、携帯電話器等の通信機器に接続の場合には、接続された通信機器の方向を自在に配置でき、通信感度の最適化を図ることが出来る。
【図面の簡単な説明】
【図１】本発明の一実施形態の全体構成を示すブロック図。
【図２】本発明のプレイヤーの実施形態を示す側面図。
【図３】図２−ａの斜視図。
【図４】接続手段に防塵カバーを被せた実施形態を示す側面図。
【図５】プレイヤーにＵＳＢストレージを装着した状態を示す側面図。
【図６】メモリメディアを取り付けた機能を説明するブロック図。
【図７】図６に加えパソコンを接続した機能を説明するブロック図。
【図８】通信ネットを介してダウンロードしファームウエアとする機能の説明図。
【図９】パソコンにより映像を再生する場合の構成を示す図。
【図１０】プレイヤー自体で動画の再生する実施形態の説明図。
【図１１】ＤＶＤのデータで動画を再生する場合の構成を説明する図。
【図１２】ＤＶＤとプレイヤーとを接続する際に、ドライバーをインストールする態様を説明する図。
【図１３】大型モニタで画像を再生する実施形態の構成を示す図。
【図１４】ＤＶＤの画像データを大型モニタで再生する場合の構成を説明する図。
【図１５】本発明のプレイヤーにパソコンからデータを転送する工程を説明する図。
【図１６】従来のプレイヤーにデータを転送する工程を説明する図。
【図１７】実施形態により携帯電話と貯蔵・接続してデータを転送する工程を説明する図。
【図１８】携帯電話と接続する端子を示す斜視図。
【図１９】携帯電話接続端子への切り替えを説明する図。
【図２０】蛇腹側のアダプタにＵＳＢ雄端子のみ、プレイヤー本体側他端にＵＳＢ雌端子を設けた実施形態を示す図。
【図２１】蛇腹側のアダプタにＵＳＢ雄端子のみ、プレイヤー本体側他端にＵＳＢ雌端子を有する回転式連結手段を設けた実施形態を示す図。
【図２２】蛇腹側のアダプタにＵＳＢ雌端子のみ、本体側他端にＵＳＢ雄端子を有する回転式連結手段を設けた実施形態を示す図。
【図２３】伝達装置本体の一端にＵＳＢ雄端子を、他端にＵＳＢ雌端子を直接設けた実施形態を示す図。
【図２４】図２３の実施形態に対して、ＵＳＢ雌端子が本体の他端に取付けられた回転式連結手段に含まれる実施形態を示す図。
【図２５】図２４に対して、回転式連結手段の回転動作を示す図。
【図２６】図２４に対して、回転式連結手段を反転して本体内に収納した状態を示す図。
【図２７】図２３の実施形態に対して、ＵＳＢ雄端子が本体の一端に取付けられた回転式連結手段に含まれる実施形態を示す図。
【図２８】図２７に対して、回転式連結手段の回転動作を示す図。
【図２９】図２７に対して、回転式連結手段を反転し、ＵＳＢ雄端子を本体に収納した状態を示す図。
【図３０】伝達装置本体の一端に回転式連結手段を取付け、その回転式連結手段の両端にＵＳＢ雄端子及びＵＳＢ雌端子を設けた実施形態を示す図。
【図３１】図３０に対して、回転式連結手段の回転動作を示す図。
【図３２】図３０に対して、回転式連結手段を反転した状態を示す図。
【図３３】プレイヤー本体の両端に夫々回転式連結手段を取付け、その回転式連結手段にＵＳＢ雄端子及びＵＳＢ雌端子を夫々設けた実施形態を示す図。
【図３４】図３３に対して、両端の回転式連結手段の回転動作を示す図。
【図３５】図３３に対して、両端の回転式連結手段を反転し、ＵＳＢ雄・雌端子を本体に収納した状態を示す図。
【図３６】伝達装置本体の一端にＵＳＢ雄端子を、他端に携帯電話接続端子を設けた実施形態を示す図。
【図３７】図１〜３の実施形態に対して、アダプタの一方の端子をＵＳＢ雌端子から携帯電話接続端子に組み替えた実施形態を示す図。
【図３８】図３７の実施形態に対して、アダプタの一方の携帯電話接続端子をプレイヤー本体側に移設した実施形態を示す図。
【図３９】図３８の実施形態に対して、プレイヤー本体側の携帯電話接続端子を回転式連結手段を介して取付けた実施形態を示す図。
【図４０】図３９の実施形態に対して、ＵＳＢ雄端子と携帯電話接続端子とを左右逆に配置した実施形態を示す図。
【図４１】図３３〜図３５の実施形態に対して、回転式連結手段の端子をＵＳＢ雌端子から携帯電話接続端子に組み替えた実施形態を示す図。
【図４２】図４１に対して、両端の回転式連結手段の回転動作を示す図。
【図４３】図４１に対して、両端の回転式連結手段を反転し、ＵＳＢ雄端子、携帯電話接続端子を本体に収納した状態を示す図。
【図４４】図４１〜図４３の実施形態に対して、ＵＳＢ雄端子を回転式連結手段を介さずに直接本体に組み込んだ実施形態を示す図。
【図４５】図４１に対して、回転式連結手段の回転動作を示す図。
【図４６】図４１に対して、回転式連結手段を回転させ本体に携帯電話接続端子を収納した状態を示す図。
【図４７】図４１〜図４３の実施形態に対して、携帯電話接続端子を回転式連結手段を介さずに直接本体に組み込んだ実施形態を示す図。
【図４８】図４１に対して、回転式連結手段の回転動作を示す図。
【図４９】図４１に対して、回転式連結手段を回転させ本体にＵＳＢ雄端子を収納した状態を示す図。
【図５０】図２３の実施形態に対して、ＵＳＢ雄端子を携帯電話接続端子に組み替えた実施形態を示す図。
【図５１】図１〜図３の実施形態に対して、ＵＳＢ雄端子を携帯電話接続端子に組み替えた実施形態を示す図。
【図５２】図２０の実施形態に対して、ＵＳＢ雄端子を携帯電話接続端子に組み替えた実施形態を示す図。
【図５３】図２１の実施形態に対して、ＵＳＢ雄端子を携帯電話接続端子に組み替えた実施形態を示す図。
【図５４】図２２の実施形態に対して、ＵＳＢ雄端子を携帯電話接続端子に組み替えた実施形態を示す図。
【図５５】図４１〜図４３の実施形態に対して、ＵＳＢ雄端子をＵＳＢ雌端子に組み替えた実施形態を示す図。
【図５６】図５５に対して、両端の回転式連結手段の回転動作を示す図。
【図５７】図５５に対して、両端の回転式連結手段を反転し、携帯電話接続端子・ＵＳＢ雌端子を本体に収納した状態を示す図。
【図５８】図４７〜図４９の実施形態に対して、ＵＳＢ雄端子をＵＳＢ雌端子に組み替えた実施形態を示す図。
【図５９】図５８に対して、回転式連結手段の回転動作を示す図。
【図６０】図５８に対して、回転式連結手段を反転し、ＵＳＢ雌端子を本体に収納した状態を示す図。
【図６１】図４４〜図４６の実施形態に対して、ＵＳＢ雄端子をＵＳＢ雌端子に組み替えた実施形態を示す図。
【図６２】図６１に対して、回転式連結手段の回転動作を示す図。
【図６３】図６１に対して、回転式連結手段を反転し、携帯電話接続端子を本体に収納した状態を示す図。
【図６４】図３０〜図３２の実施形態に対して、ＵＳＢ雄端子を携帯電話接続端子に組み替えた実施形態を示す図。
【図６５】図６４に対して、回転式連結手段の回転動作を示す図。
【図６６】図６４に対して、回転式連結手段を反転し、携帯電話接続端子とＵＳＢ雌端子を逆に配置させた状態を示す図。
【図６７】図１〜図３の実施形態に対して、プレイヤー本体の他端に携帯電話接続端子を加えた実施形態を示す図。
【図６８】図５１の実施形態に対して、プレイヤー本体の他端にＵＳＢ雄端子を加えた実施形態を示す図。
【図６９】図３７の実施形態に対して、プレイヤー本体の他端にＵＳＢ雌端子を加えた実施形態を示す図。
【図７０】図１７〜図１９の実施形態に対して、伝達装置本体の他端に回転式連結手段を介してＵＳＢ雌端子を加えた実施形態を示す図。
【図７１】図７０に対して、本体両端の回転式連結手段の回転動作を示す図。
【図７２】図７０に対して、回転式連結手段を反転し、各端子を逆に配置した状態を示す図。
【図７３】図５５〜図５７の実施形態に対して、伝達装置本体の他端の回転式連結手段側にＵＳＢ雄端子を加えた実施形態を示す図。
【図７４】図７３に対して、本体両端の回転式連結手段の回転動作を示す図。
【図７５】図７３に対して、回転式連結手段を反転し、各端子を逆に配置した状態を示す図。
【図７６】図６４〜図６６の実施形態に対して、伝達装置本体の他端の回転式連結手段側にＵＳＢ雄端子を加えた実施形態を示す図。
【図７７】図７６に対して、本体両端の回転式連結手段の回転動作を示す図。
【図７８】図７６に対して、回転式連結手段を反転し、各端子を逆に配置した状態を示す図。
【図７９】図７０〜図７２の実施形態に対して、プレイヤー本体の他端の回転式連結手段側のＵＳＢ雌端子を本体の他端に直に設けた実施形態を示す図。
【図８０】図７９に対して、回転式連結手段の回転動作を示す図。
【図８１】図７９に対して、回転式連結手段を反転し、ＵＳＢ雄端子と携帯電話接続端子を逆に配置した状態を示す図。
【図８２】図７３〜図７５の実施形態に対して、伝達装置本体の他端の回転式連結手段側の携帯電話接続端子を本体の他端に直に設けた実施形態を示す図。
【図８３】図８２に対して、回転式連結手段の回転動作を示す図。
【図８４】図８２に対して、回転式連結手段を反転し、ＵＳＢ雄端子とＵＳＢ雌端子を逆に配置した状態を示す図。
【図８５】図７６〜図７８の実施形態に対して、伝達装置本体の一端の回転式連結手段側のＵＳＢ雄端子を本体の他端に直に設けた実施形態を示す図。
【図８６】図８５に対して、回転式連結手段の回転動作を示す図。
【図８７】図８５に対して、回転式連結手段を反転し、携帯電話接続端子とＵＳＢ雌端子を逆に配置した状態を示す図。
【図８８】図１７〜図１９の実施形態に対して、プレイヤー本体の他端に回転式連結手段側を介して携帯電話接続端子を付加した実施形態を示す図。
【図８９】図５１の実施形態に対して、プレイヤー本体の他端に回転式連結手段側を介してＵＳＢ雄端子を付加した実施形態を示す図。
【図９０】図６９の実施形態に対して、プレイヤー本体の他端に設けたＵＳＢ雌端子を、回転式連結手段側を介してのＵＳＢ雌端子に組み替えた実施形態を示す図。
【図９１】図３９の実施形態に対して、プレイヤー本体の他端の回転式連結手段側にＵＳＢ雌端子を付加した実施形態を示す図。
【図９２】図４０の実施形態に対して、プレイヤー本体の他端の回転式連結手段側にＵＳＢ雌端子を付加した実施形態を示す図
【図９３】図２２の実施形態に対して、プレイヤー本体の他端の回転式連結手段側に携帯電話接続端子を付加し、アダプタ側のＵＳＢ雌端子の配置を左右逆とした実施形態を示す図。
【図９４】プレイヤー本体において、表面・裏面が反転する実施形態であり、本体が表面を外に向け、ＵＳＢストレージをアダプタに装着した状態を示す図。
【図９５】プレイヤー本体において、表面・裏面が反転する実施形態であり、本体が裏面を外に向け、ＵＳＢストレージをアダプタに装着した状態を示す図。
【図９６】図９４に対応する側面図
【図９７】図９４に対応する平面図
【図９８】図９４から図９７の実施形態において、本体を反転させる工程を順に説明する工程図。
【図９９】携帯電話用アダプタを長手方向で２分し、互いに回転可能とした実施形態を示す側面図。
【図１００】図９９に対応する平面図。
【図１０１】図９９及び図１００に対応する斜視図。
【図１０２】図９９〜図１０１の実施形態において、２分したアダプタを互いに回転させ位相を９０°ずらす過程を説明する工程図。
【図１０３】図９９〜図１０１の実施形態において、アダプタを携帯電話に差し込み、ＵＳＢ雄端子をノート型パソコンに対応させる場合を示す斜視図。
【図１０４】図９９〜図１０１の実施形態において、アダプタを携帯電話に差し込み、ＵＳＢ雄端子を縦方向のスロットを有するデスクトップ型パソコンに対応させる場合を示す斜視図。
【図１０５】記憶媒体を有し、携帯電話カバーを兼ねる携帯電話用アダプタの実施形態の一例を示す側面図。
【図１０６】携帯電話の側面図。
【図１０７】携帯電話用アダプタを携帯電話のカバーとして使用する場合のカバーとしての操作手順を示す工程図。
【図１０８】記憶媒体を有し、携帯電話カバーを兼ねる携帯電話用アダプタの実施形態の他の例を示す側面図。
【図１０９】ＤＶＤのデータで動画を再生する場合における図１１とは異なる構成を説明する図。
【符号の説明】
１・・・プレイヤー
１ａ・・・プレイヤー本体
２・・・ＵＳＢ接続手段、アダプタ
３・・・連結手段
４・・・連結手段
５・・・音声出力部
１１・・・液晶ディスプレイ
１３・・・音声出力端子
１５・・・ＲＡＭ
１８・・・ビデオ出力端子
２１・・・ＵＳＢストレージデバイス
２２・・・リードライタ
２５・・・パソコン
２６・・・ＤＶＤドライブ
２７・・・大型ディスプレイ
２８・・・プロジェクタ
３０・・・携帯電話
Ｃ１・・・ＵＳＢ雄端子
Ｃ２・・・ＵＳＢ雌端子
Ｃ３・・・携帯電話接続端子
【図１】
2004139512.tif 000003
【図２】
2004139512.tif 000004
【図３】
2004139512.tif 000005
【図４】
2004139512.tif 000006
【図５】
2004139512.tif 000007
【図６】
2004139512.tif 000008
【図７】
2004139512.tif 000009
【図８】
2004139512.tif 000010
【図９】
2004139512.tif 000011
【図１０】
2004139512.tif 000012
【図１１】
2004139512.tif 000013
【図１２】
2004139512.tif 000014
【図１３】
2004139512.tif 000015
【図１４】
2004139512.tif 000016
【図１５】
2004139512.tif 000017
【図１６】
2004139512.tif 000018
【図１７】
2004139512.tif 000019
【図１８】
2004139512.tif 000020
【図１９】
2004139512.tif 000021
【図２０】
2004139512.tif 000022
【図２１】
2004139512.tif 000023
【図２２】
2004139512.tif 000024
【図２３】
2004139512.tif 000025
【図２４】
2004139512.tif 000026
【図２５】
2004139512.tif 000027
【図２６】
2004139512.tif 000028
【図２７】
2004139512.tif 000029
【図２８】
2004139512.tif 000030
【図２９】
2004139512.tif 000031
【図３０】
2004139512.tif 000032
【図３１】
2004139512.tif 000033
【図３２】
2004139512.tif 000034
【図３３】
2004139512.tif 000035
【図３４】
2004139512.tif 000036
【図３５】
2004139512.tif 000037
【図３６】
2004139512.tif 000038
【図３７】
2004139512.tif 000039
【図３８】
2004139512.tif 000040
【図３９】
2004139512.tif 000041
【図４０】
2004139512.tif 000042
【図４１】
2004139512.tif 000043
【図４２】
2004139512.tif 000044
【図４３】
2004139512.tif 000045
【図４４】
2004139512.tif 000046
【図４５】
2004139512.tif 000047
【図４６】
2004139512.tif 000048
【図４７】
2004139512.tif 000049
【図４８】
2004139512.tif 000050
【図４９】
2004139512.tif 000051
【図５０】
2004139512.tif 000052
【図５１】
2004139512.tif 000053
【図５２】
2004139512.tif 000054
【図５３】
2004139512.tif 000055
【図５４】
2004139512.tif 000056
【図５５】
2004139512.tif 000057
【図５６】
2004139512.tif 000058
【図５７】
2004139512.tif 000059
【図５８】
2004139512.tif 000060
【図５９】
2004139512.tif 000061
【図６０】
2004139512.tif 000062
【図６１】
2004139512.tif 000063
【図６２】
2004139512.tif 000064
【図６３】
2004139512.tif 000065
【図６４】
2004139512.tif 000066
【図６５】
2004139512.tif 000067
【図６６】
2004139512.tif 000068
【図６７】
2004139512.tif 000069
【図６８】
2004139512.tif 000070
【図６９】
2004139512.tif 000071
【図７０】
2004139512.tif 000072
【図７１】
2004139512.tif 000073
【図７２】
2004139512.tif 000074
【図７３】
2004139512.tif 000075
【図７４】
2004139512.tif 000076
【図７５】
2004139512.tif 000077
【図７６】
2004139512.tif 000078
【図７７】
2004139512.tif 000079
【図７８】
2004139512.tif 000080
【図７９】
2004139512.tif 000081
【図８０】
2004139512.tif 000082
【図８１】
2004139512.tif 000083
【図８２】
2004139512.tif 000084
【図８３】
2004139512.tif 000085
【図８４】
2004139512.tif 000086
【図８５】
2004139512.tif 000087
【図８６】
2004139512.tif 000088
【図８７】
2004139512.tif 000089
【図８８】
2004139512.tif 000090
【図８９】
2004139512.tif 000091
【図９０】
2004139512.tif 000092
【図９１】
2004139512.tif 000093
【図９２】
2004139512.tif 000094
【図９３】
2004139512.tif 000095
【図９４】
2004139512.tif 000096
【図９５】
2004139512.tif 000097
【図９６】
2004139512.tif 000098
【図９７】
2004139512.tif 000099
【図９８】
2004139512.tif 000100
【図９９】
2004139512.tif 000101
【図１００】
2004139512.tif 000102
【図１０１】
2004139512.tif 000103
【図１０２】
2004139512.tif 000104
【図１０３】
2004139512.tif 000105
【図１０４】
2004139512.tif 000106
【図１０５】
2004139512.tif 000107
【図１０６】
2004139512.tif 000108
【図１０７】
2004139512.tif 000109
【図１０８】
2004139512.tif 000110
【図１０９】
2004139512.tif 000111